(57)【要約】  本発明は無線周波数信号の増幅を調節するための調節回路に関する。該調節回路は複数の入力端および出力端と、端へおよびからの心経入力および信号出力をマッチングする上で効果を有するマッチング構成部品とを備える。調節回路はまた、少なくとも一つの振幅調節回路端の入力および出力の抵抗を変化させるための、少なくとも一つの調節抵抗器をマッチング構成部品と接地の間に備える。信号振幅を調節するための調節回路が複数の入力端と出力端と、少なくとも一対の調節インピーダンス器とを備えることが考えられ、調節インピーダンス器の各一対は、入力端と出力端との間に配置される。各加減インピーダンス器は、信号線と接地との間に並列に接続され、各対のインピーダンス着が相互に関連する相補的なリアクタンスを有する。【選択図】図２Ａ
2007520129.tif 000002
【特許請求の範囲】
【請求項１】
無線周波数信号の振幅を調節するための調節回路であって、
前記調節回路が、
複数の入力および出力端と、
前記複数の端へおよび前記複数の端からの信号入力および信号出力をマッチングさせる上で効果を有するマッチング構成部品と、
前記複数の端のうち少なくとも一つの端の抵抗を変化させるための、マッチング構成部品と接地の間の少なくとも一つの加減抵抗器と、
を備えることを特徴とする調節回路。
【請求項２】
信号振幅を調節するための調節回路であって、
前記調節回路が、
複数の入力および出力端と、
少なくとも一対の加減インピーダンス器であって、該加減インピーダンス器の各対は前記複数の端の入力および出力端の対の間に配置される、少なくとも一対の加減インピーダンス器と、を備え、
前記加減インピーダンス器の各対は信号線と接地との間に並列に接続され、
前記加減インピーダンス器の各対のインピーダンス器が相互に関連する相補的なリアクタンスを有する、
ことを特徴とする調節回路。
【請求項３】
無線周波数信号の振幅を調節するための調節回路であって、
前記調節回路が、
複数の入力および出力端と、
前記複数の端へおよび前記複数の端からの信号入力および信号出力をマッチングするためのマッチング手段と、
前記複数の端のうち少なくとも一つの端の抵抗を変化させるための、前記マッチング手段と接地の間の少なくとも一つの加減抵抗手段と、
を備えることを特徴とする調節回路。
【請求項４】
信号振幅を調節するための調節回路であって、
前記調節回路が、
複数の入力および出力端と、
少なくとも一対の加減インピーダンス手段であって、
前記加減インピーダンス手段の各対は入力および出力端の対の間に配置され、前記加減インピーダンス手段の各対が信号線と接地の間に並列に接続されており、
前記加減インピーダンス手段の各対の前記インピーダンス手段は相互に関連する相補的なリアクタンスを有する、少なくとも一対の加減インピーダンス手段と、
を備えることを特徴とする調節回路。
【請求項５】
少なくとも一つの加減抵抗器が、加減である相補的なリアクタンスを用いる少なくとも一対のインピーダンス器を有することを特徴とする請求項１に記載の回路。
【請求項６】
前記少なくとも一つの各対のインピーダンス器は調節範囲の任意の点において、相互に対して反対のリアクタンス値を有することを特徴とする請求項２に記載の回路。
【請求項７】
前記少なくとも一つの加減抵抗器が一対の容量ダイオードを有することを特徴とする請求項１に記載の回路。
【請求項８】
前記マッチング構成部品が伝送線路を備えることを特徴とする請求項１に記載の回路。
【請求項９】
前記マッチング構成部品が方向性結合器を備えることを特徴とする請求項１に記載の回路。
【請求項１０】
前記マッチング構成部品がサーキュレータを備えることを特徴とする請求項１に記載の回路。
【請求項１１】
フィードバックが、フィードバック信号に従って、前記少なくとも一つの加減抵抗器を調節するために、非線形要素の出力から、前記少なくとも一つの加減抵抗器へ入力されることを特徴とする請求項１に記載の回路。
【請求項１２】
フィードバックが、フィードバック信号に従って、前記少なくとも一対の加減インピーダンス器を調節するために、非線形要素の出力から、前記少なくとも一対の加減インピーダンス器へ入力されることを特徴とする請求項２に記載の回路。
【請求項１３】
調節回路において無線周波数信号の振幅を調節する方法であって、
前記調節回路が、
複数の入力および出力端と、
前記端へおよび前記端からの信号入力および信号出力をマッチングさせる上で効果を有するマッチング構成部品と、
前記マッチング構成部品と接地との間に少なくとも一つの加減抵抗器と、を備え、
前記方法が、
前記少なくとも一つの加減抵抗器を有する前記調節回路の複数の端のうちの少なくとも一つの端の抵抗を、各抵抗器において少なくとも一対の加減インピーダンス器のインピーダンスを変化させることで、調整することを特徴とする方法。
【請求項１４】
調節回路において信号振幅を調節する方法であって、
前記調節回路は、
複数の入力および出力端と、
少なくとも一対の加減インピーダンス器であって、前記加減インピーダンス器の各対は、入力および出力端の一対の間に配置され、前記少なくとも一対の加減インピーダンス器のそれぞれは並列に、信号線と接地の間に接続される、少なくとも一対の加減インピーダンス器と、を備え、
前記方法は、
前記調節回路のインピーダンスを調節し、
前記調整の間、各対のインピーダンス器のリアクタンスを相互に関連する相補的状態に維持する、
ことを特徴とする方法。
【請求項１５】
更に、フィードバック信号を、非線形要素の出力から前記少なくとも一つの調節抵抗器へ入力し、前記フィードバック信号に従って、前記少なくとも一つの調節抵抗器を調節することを含む請求項１３に記載の方法。
【請求項１６】
更に、フィードバック信号を、非線形要素の出力から前記少なくとも一対の加減インピーダンス器へ入力し、前記フィードバック信号に従って、前記少なくとも一対の加減インピーダンス器を調節することを含む請求項１４に記載の方法。
【請求項１７】
前記調節ステップが前記少なくとも一つの加減抵抗器を用いて抵抗を調節することを含み、そこでは、少なくとも一つの加減抵抗器が少なくとも一つの容量ダイオードを備える請求項１３に記載の方法。
【発明の詳細な説明】
【技術分野】
【０００１】
本発明は信号の振幅を調節するための調節回路に関する。
【背景技術】
【０００２】
例えば、電力増幅器のような非線形要素は、信号歪みを引き起こす。増幅器によって生じる歪みの低減が様々な手段で試みられてきた。入力信号の振幅関数としての増幅された信号の振幅または位相の歪みがしばしば既知の関数に見立てられるため、歪みは同様の特有の振舞いを有する構成部品を用いて補償されてきた。プレディストーション（ｐｒｅｄｉｓｔｏｒｔｉｏｎ）のための典型的な構成部品は、ダイオード、電界効果トランジスタ、またはバイポーラ接合トランジスタを含む。この解決法は単純ではあるが、精密でない。一つの構成部品の特有の曲線は電力増幅器のような非線形要素の歪みを十分によく打ち消すことはできない。これらの構成部品は、非線形要素の振舞いを線形化するために使用されるが、これらの構成部品それ自体もまた、位相と振幅の両方で、非線形性を引き起こす。
【０００３】
振幅歪みが、例えば、温度、増幅器の古さ、および増幅器へ入力される信号の変化による影響を受けるため、振幅のプリディストーションは、適応性を得るために更新することができる参照テーブルを使用することで実行することができる。
【０００４】
参照テーブルに代わって、１次より高次の多項式が歪みを評価するために使用されうる。一般的には、歪みを十分よく打ち消すために、この次元は少なくとも５またはもっと言えば７である必要がある。しかし、これは、乗算演算の数を劇的に増加させる。
【発明の開示】
【発明が解決しようとする課題】
【０００５】
参照テーブルおよび多項式は、複雑で、遅く、信号処理における解決できない遅延を生じる非現実的な補償回路という結果をもたらす。さらに、多項式解において使用される乗算演算は実行することが困難であり、かつ不必要な遅延を生じる。例えば、ＵＭＴＳ（Ｕｎｉｖｅｒｓａｌ  Ｍｏｂｉｌｅ  Ｔｅｌｅｐｈｏｎｅ  Ｓｙｓｔｅｍ）、ＣＤＭＡ（Ｃｏｄｅ  Ｄｉｖｉｓｉｏｎ Ｍｕｌｔｉｐｌｅ  Ａｃｃｅｓｓ）、およびＷＣＤＭＡ（Ｗｉｄｅ−ｂａｎｄ  ＣＤＭＡ）無線システムであるような、到来信号の電力レベルが変化する場合、線形化が使用されるか否かに関わりなく、電力増幅器は、したがって、線形に信号を増幅することができない。
【０００６】
本発明の目的は改善された調節回路および改善された調節方法を提供することである。
【課題を解決するための手段】
【０００７】
本発明の一つの態様に従えば、無線周波数信号の振幅を調節するための調節回路が提供される。この調節回路は、複数の入力端および出力端と、該端へまたは該端からの信号入力および信号出力をマッチングする上で効果を有するマッチング構成部品と、振幅調節回路の少なくとも一つの端における抵抗を変化させるためのマッチング構成部品と接地との間の少なくとも一つの加減抵抗とを備える。
【０００８】
本発明のもう一つの態様に従えば、信号振幅を長背いつするための調節回路が提供される。この調節回路は、複数の入力および出力端と、少なくとも一対の加減インピーダンス器であって、各一対の加減インピーダンス器は、一対の入力端および出力端の間に配置され、各加減インピーダンス器は、信号線と接地の間に並列に接続され、各一対のインピーダンス器は、相互に関連した相補的なリアクタンスを有するインピーダンス器とを備える。
【０００９】
本発明のもう一つの態様に従えば、調節回路において無線周波数信号の振幅を調節する方法が提供される。この調節回路は、複数の入力および出力端と、該端へまたは該端からの信号入力および信号出力をマッチングする上で効果を有するマッチング構成部品と、マッチング構成部品と接地との間の少なくとも一つの加減抵抗とを備え、この方法は、振幅調節回路の少なくとも一つの端において、少なくとも一つの加減抵抗器を用いて、少なくとも一対の加減インピーダンスユニットのインピーダンスを各抵抗器において変化させることで抵抗を調整することを含む。
【００１０】
本発明のもう一つの態様に従えば、調節回路における信号の振幅を調節することを含み、この調節回路は、複数の入力および出力端と、少なくとも一対の加減インピーダンス器であって、各一対の加減インピーダンス器は、一対の入力端と出力端との間に配置され、各加減インピーダンス器は、信号線と接地との間に、並列に接続される加減インピーダンス器とを備え、この方法は、調節回路のインピーダンスを調整し、各対のインピーダンス器のリアクタンスを調節中に相互に関連して相補的に維持することを含む。
【００１１】
本発明の好ましい実施形態は、従属請求項において記述される。
本発明の調節回路および方法は、様々な利点を有する。調節回路は単純であり、高周波数帯域において振幅および位相の線形の減衰／制御応答を提供する。
【発明を実施するための最良の形態】
【００１２】
以下、好ましい実施形態と、添付された図面を参照して、本発明をより詳細に説明する。
本解決策は、ＵＭＴＳまたはＷＣＤＭＡのような無線システムにおける送信器に特に適しているが、これらに制限されるものではない。
【００１３】
まず、この無線システムを図１を用いて示す。典型的なデジタル無線システムは加入者装置１００から１０４、少なくとも一つの基地局１０６、および基地局コントローラ１０８を備える。基地局１０６はノードＢともよばれ、基地局コントローラ１０８は無線ネットワークコントローラと呼ぶこともできる。加入者装置１００から１０４は信号１１０から１１４を用いて基地局１０６と通信を行なう。基地局１０６はデジタル伝送リンク１１６によって基地局コントローラ１０８へ接続され得る。加入者装置１００から１０４は、固定して設置された端末、または携帯型移動端末であることが考えられる。加入者装置１００から１０４と基地局１０６との間の信号１１０から１１４は、デジタル化された情報、例えば、音声、もしくはデータ情報、または加入者もしくは無線システムによって作成された制御情報を搬送する。
【００１４】
図２Ａは、信号振幅を調節するための調節回路を示す。図２Ａにおける調節回路は入力端２００および出力端２０２を備える。一般的に、この回路は複数の入力端および出力端を有することが考えられる。基地局またはユーザ装置の送信器の一部であることが考えられる信号発生器２０４は、入力端２００へ信号を供給する。この回路はまた、端２００、２０２へまたはからの入力信号および出力信号をマッチングする上で効果を有するマッチング構成部品２０６を含む。マッチング構成部品は回路のインピーダンスへの影響を有し、異なる特性を有するマッチング構成部品はこの回路のインピーダンスを変化させることができる。マッチング構成部品２０６は、例えば、伝送線路であり、その長さＩは、信号波長λの１／４とすることができる。すなわち、Ｉ＝λ／４＋ｎλ／２であり、ここで、ｎ＝０，１，２，・・・，∞とする。これに対して、マッチング構成部品における位相シフトΔφ（ラジアン）もまたΔφ＝π／２＋ｎπとして表現することができる。ここで、π≒３．１４１５９２６とする。伝送線路のインピーダンスは５０Ω、７５Ω、１００Ω、６００Ωまたは任意のその他の所望の値とすることができる。図２Ａにおける調節回路は、振幅調節回路の入力端および出力端２００、２０２における抵抗を変化させるために、マッチング構成部品２０６および接地の間の二つの加減抵抗器２０８、２１０を備える。増幅器のような非線形要素であることが考えられる負荷２１２は、出力端２０２へ接続され得る。負荷２１２によって生じる増幅器における非線形性はこの調整回路を用いて打ち消されることが考えられる。
【００１５】
伝送線路２０６の代わりに、はしご状のコイルとコンデンサを使用することができる。この認識においては、コイルは直列に接続され、各コイルは、コンデンサによって接地への両端結合を有する。コイルとコンデンサのための適した値を選択することで、要求される位相シフトΔφ＝π／２＋ｎπが達成される。
【００１６】
各加減抵抗器２０８、２１０は、並列におよび／または直列に接続される多くの構成部品を備える。それらの構成部品の少なくとも幾つかは調節可能である。抵抗器２０８、２１０におけるこれらの構成部品もまた、相互に関連して相補的なリアクタンスを備える。例えば、抵抗器２０８は、加減インピーダンス器２０８０、２０８２を備え、抵抗器２１０は加減インピーダンス器２１００、２１０２を備える。インピーダンス器２０８０は誘導的であり、インピーダンス器２０８２は容量的であるか、またはその逆であることが考えられる。抵抗器２０８におけるインピーダンス器２０８０、２０８２の調節中に、それらのリアクタンスは、相互に反対のままであり、この調節は抵抗器２０８の抵抗値を変化させるだけかもしれない。同様の方法で、インピーダンス器２１００、２１０２の調節は、相補的なリアクタンスを有する抵抗器２１０の抵抗を変化させるかもしれない。
【００１７】
本解決法の実施形態は、インピーダンスユニット２０８０、２０８２、および２１００、２１０２を調節するために、非線形要素２１２から加減抵抗器２０８、２１０へのフィードバック２１４（破線で示される）を備えるが、この特徴は必要ではない。フィードバックはフィードバック変換器（図示せず）であって、非線形要素２１２の出力信号をインピーダンス器２０８０、２０８２、および２１００、２１０２のために適した形式へ変換するフィードバック変換器を備える。
【００１８】
図２Ｂは、マッチング構成部品が、４つの端２５２から２５８を有する方向性結合器であるという例を示す。この例においては、二つの端２５２、２５４は、加減抵抗器２６０、２６２を有するが、一般的には、少なくとも一つの端が加減抵抗器を有する。
【００１９】
図２Ｃは、マッチング構成部品が３つの端２７２から２７６を有するサーキュレータ２７０である例を示す。この例においては、端２７２は加減抵抗器２７８を有する。伝送が端２７４から端２７６へ転送される場合、端２７６は出力端である。その他の端の任意の一つもまた、加減抵抗器を有することが考えられる。
【００２０】
図３は、信号振幅を調節するための調節回路をのもう一つの例を示す。図３における調節回路は、入力端３００および出力端３０２を備える。一般的に、この回路は複数の入力端と出力端を有する。信号発生器３０４は信号を入力端３００へ入力する。一対の加減インピーダンス器３０６、３０８は並列に、信号線（端３００、３０２の間の線）と接地の間に接続される。接地は０電位または、信号線における信号がそれに対して検出されるような任意のその他の参照レベルであることが考えられる。インピーダンス器３０６は、誘電的であり、インピーダンス器３０８は容量的であることが考えられる。一般的に、この回路は一つ以上の対の加減インピーダンス器を用いることで提供されることが考えられ、各加減インピーダンス器の対が入力端と出力端の一つの対の間に配置される。各対のインピーダンス器は、相互に関連して相補的なリアクタンスを有する。増幅器のような非線形要素であることが考えられる負荷３１０は、出力端３０２へ接続される。図２Ａ、２Ｂおよび２Ｃのように、各インピーダンス器は、並列におよび／または直列に接続される多くの構成部品を備える。
【００２１】
図２Ａ、２Ｂ、２Ｃおよび図３において記述される調節回路は、加減減衰器と考えることができる。なぜなら、その可変抵抗が所望の限界において負荷への入力信号を減衰するためである。
【００２２】
図２Ａ、２Ｂ、２Ｃおよび図３に関連するインピーダンス器の相補的なリアクタンスは、数学的に複素数を用いて表現することができ、インピーダンスは複素値として考えられ、抵抗値を表す実数部と、リアクタンスを表す虚数部として考えられる。言い換えると、リアクタンスはインダクタンスまたは電気容量に起因する。二つのインピーダンスユニットＺ1＝Ｒ1＋ｊＸ1、Ｚ2＝Ｒ2＋ｊＸ2の並列接続のインピーダンスＺは、以下のように表すことができる。
【数１】
2007520129.tif 000003
ここで、Ｒ1＋ｊＸ1は、第１のインピーダンス器Ｚ1、Ｒ2＋ｊＸ2は第２のインピーダンス器Ｚ2、Ｒ1は第１のインピーダンス器の抵抗部、Ｒ2は第２のインピーダンス器の抵抗部、Ｘ1は第１のインピーダンス器のリアクタンス部、Ｘ2は第２のインピーダンス器のリアクタンス部、およびｊは虚数部である。インピーダンスＺは以下のようにもまた表すことができる。
【数２】
2007520129.tif 000004
抵抗部Ｒ1と抵抗部Ｒ2が同じ値、Ｒ1＝Ｒ2を有し、かつ、リアクタンス部Ｘ1がリアクタンス部Ｘ2と反対、Ｘ1＝−Ｘ2である場合、この式は実数部値を有すると考えられる。すなわち、インピーダンスＺは抵抗である。インピーダンスＺが純粋に抵抗であるとき、並列なインピーダンスＺ1、Ｚ2の値は、互いに関連する複素共役である。すなわち、以下のように表される。
【数３】
2007520129.tif 000005
【００２３】
図４は、誘導性リアクタンスを有する抵抗器２０８の加減インピーダンス器２０８０の曲線４００をスミスチャート上に示したものである。この曲線はインピーダンス器３０６のものとも同じである。インピーダンス器の値が選択されることで、調節範囲の最小値および最大値がスミスチャートの実軸にあることが考えられる。相補的なリアクタンスを有さない加減インピーダンス器の曲線は、この場合、スミスチャート上のアーチとなり、それは、実軸の上を曲がる。
【００２４】
図５は、容量性のリアクタンスを伴う抵抗器２０８のインピーダンス器２０８２のインピーダンス曲線５００を有するスミスチャートを示す。この曲線は、インピーダンス器３０８のものとも同じである。同様に、図４のように、インピーダンス器の値が選択されることで、調節範囲の最小値および最大値がスミスチャートの実軸にあることが考えられる。相補的なリアクタンスを伴わない加減インピーダンス器の曲線は、この場合、スミスチャート上の実軸の下側のアーチとなる。
【００２５】
図６は、抵抗器２０６のインピーダンス器２０８０およびインピーダンス器２０８２の合成されたインピーダンス曲線６００を有するスミスチャートを示す。この曲線はインピーダンス器３０６およびインピーダンス器３０８の合成のものと同じである。相補的なリアクタンス（方程式（２）におけるＸ1およびＸ2に関連する）が相互に反対であるため、合成されたインピーダンスＺは、抵抗であり、したがって、調節の全範囲内における直線である。
【００２６】
図７は、図４に示した曲線と同じ振舞いを有するインピーダンス器を示す。このインピーダンス器は、その陽極が互いに向き合う一対の容量ダイオード７００を使用して実行されることが考えられる。しかし、一般的には、インピーダンス器は少なくとも一つの容量ダイオードを使用して実行されることが考えられる。この一対の容量ダイオード７００は一端で接地へ接続されている。インピーダンスを調節する調節信号が、この一対のダイオード７００の間に入力される。調節信号は、例えば、以下のように示すことができる。Ｖadjustment＝Ｖ0−Ｖcであって、ここで、Ｖadjustmentは、調節電圧であり、Ｖ0は定電圧（例えば約８Ｖ）であり、Ｖcは一対の容量ダイオード７００のインピーダンスを変化させる可変電圧である。一対の容量ダイオード７００のその他の端はコイル７０２を通って、接地に接続されている。一対の容量ダイオード７００の同じ端もまた、伝送線路７０４、７０８の構成要素および抵抗７０６を通る信号線へ接続される。
【００２７】
図８は、図５における曲線と同じ振舞いを有するインピーダンス器を示す。このインピーダンス器もまた、その陽極が互いに向き合っている一対の容量ダイオード８００を用いることで実施することが考えられる。インピーダンスを調節する調節信号が、一対のダイオード８００の間に入力される。この場合、この調節が、可変電圧Ｖc、すなわち、Ｖadjustment＝Ｖcを直接的に用いて実行される。この曲線は、したがって、図４および５において、それぞれ反対の方向に曲がり、調製範囲の任意の点において相互に関連する反対のリアクタンス値を有する。容量ダイオード８００の対のその他の端は、コイル８０２を通って接地へ接続されてきた。この容量ダイオード８００の対が、伝送線路の構成要素８０４、８０８を通って信号線へ接続され、それらの間に抵抗８０６が接地へ向けて配置される。
【００２８】
周波数が２１４０ＭＨｚであるとして考えられている場合、以下の例が与えられるが、これらに制限されるものではない。各容量ダイオードは、インダクタンス１．５ｍＨを有し、構成部品の値は以下のようになる。
【００２９】
伝送線路７０４        Ｚ0＝６３Ω、Ｉ＝０．６６８＊λ
抵抗７０６            Ｒ＝１２０Ω
伝送線路７０８        Ｚ0＝５０Ω、Ｉ＝０．１０７＊λ
伝送線路８０４        Ｚ0＝５０Ω、Ｉ＝０．７９４＊λ
抵抗８０６            Ｒ＝９０Ω
伝送線路８０８        Ｚ0＝１０６Ω、Ｉ＝０．８０４＊λ
【００３０】
例として、容量ダイオードのコンデンサＣが、Ｃ＝［８．７５／（１＋Ｖadjustment／２．３）1.1＋１．２］ｐＦとして表現できる。その他の周波数については、異なる値を使用することができる。コイル７０２、８０２はＤＣ接地のために使用される。容量ダイオードの使用は調節回路を高速にし、そして、したがって、高周波数で使用することが可能である。
【００３１】
図７および図８の加減インピーダンスを並列に接続することで、加減抵抗が形成されうる。リアクタンス部の絶対値が等しいが、その値がスミスチャートにおいて直線をもたらす異符号を有するように、加減インピーダンスは設計され得る。容量ダイオードは高調節速度、高反射減衰量、および５ｄＢまたはそれ以上を限界とする調節範囲を可能とする。
【００３２】
図９は、調節回路において信号振幅を調節する方法のフローチャートを示す。方法ステップ９００において、振幅調節回路の少なくとも一端の入力および出力における抵抗が、少なくとも一つの加減抵抗器を用いて調節される。
【００３３】
図１０は、調節回路において信号振幅を調節する方法のフローチャートを示す。方法ステップ１０００において、調節回路のインピーダンスが調節される。ステップ１００２において、各対のインピーダンス器のリアクタンスが、調節中に、相互に関連して相補的に維持される。
【００３４】
調節される信号は、ベースバンド信号または搬送波によって変調された信号であることが考えられる無線周波数信号であるかもしれない。信号周波数はキロヘルツからギガヘルツまで変化することが考えられる。
【００３５】
本発明が、添付された図面にしたがった例を参照しながら上述されたが、本発明がそれらに制限されず、添付された特許請求の範囲の範囲内で様々な方法で修正できることが明らかである。
【図面の簡単な説明】
【００３６】
【図１】図１は無線システムを示す。
【図２Ａ】図２Ａは伝送線路を備えた調節回路を示す。
【図２Ｂ】図２Ｂは方向性結合器を備えた調節回路を示す。
【図２Ｃ】図２Ｃはサーキュレータを備えた調節回路を示す。
【図３】図３は信号発生器と負荷との間の調節回路を示す。
【図４】図４は誘電調節インピーダンスの曲線を伴うスミスチャートを示す。
【図５】図５は容量調節インピーダンスの曲線を伴うスミスチャートを示す。
【図６】図６は並列接続の調節インピーダンスの曲線を伴うスミスチャートを示す。
【図７】図７は容量ダイオードを用いて実施される誘電調節インピーダンスを示す。
【図８】図８は容量ダイオードを用いて実施される容量調節インピーダンスを示す。
【図９】図９は本方法のフローチャートを示す。
【図１０】図１０は本方法のフローチャートを示す。
【図１】
2007520129.tif 000006
【図２Ａ】
2007520129.tif 000007
【図２Ｂ】
2007520129.tif 000008
【図２Ｃ】
2007520129.tif 000009
【図３】
2007520129.tif 000010
【図４】
2007520129.tif 000011
【図５】
2007520129.tif 000012
【図６】
2007520129.tif 000013
【図７】
2007520129.tif 000014
【図８】
2007520129.tif 000015
【図９】
2007520129.tif 000016
【図１０】
2007520129.tif 000017
【国際調査報告】
2007520129.tif 000018
2007520129.tif 000019